【手続補正書】
【提出日】平成22年5月21日(2010.5.21)
【手続補正１】
【補正対象書類名】特許請求の範囲
【補正対象項目名】全文
【補正方法】変更
【補正の内容】
【特許請求の範囲】
【請求項１】
遊技状態を遊技者にとって有利となる特定遊技状態に制御可能な遊技機であって、
前記特定遊技状態に制御するか否かを事前に決定する特定遊技状態決定手段と、
可変表示を行なって表示結果を導出表示する可変表示装置と、
前記可変表示を開始してから表示結果を導出表示するまでの可変表示時間を、当該可変表示を開始するときに決定する可変表示時間決定手段と、
前記遊技状態を制御するとともに前記可変表示時間決定手段により決定された可変表示時間を特定するためのコマンドを出力する遊技制御手段と、
前記可変表示装置において前記可変表示を開始し、前記可変表示時間決定手段により決定された可変表示時間が経過したときに、前記特定遊技状態決定手段の決定結果に従った表示結果を導出表示するとともに、当該可変表示中において遊技に関する演出を行なった後前記特定遊技状態へ制御するか否かに係る演出結果を表示する遊技演出実行手段を有し、前記コマンドに従って前記可変表示装置の表示制御を行なう可変表示制御手段と、
遊技者からの選択指示を検出する選択指示検出手段とを含み、
前記選択指示検出手段からの検出信号は、前記遊技制御手段を経由することなく前記可変表示制御手段に入力され、
前記遊技演出実行手段は、
前記コマンドに基づき複数種類の変動パターンのうちいずれかを設定し、
該設定された変動パターンにしたがって、前記可変表示装置において前記可変表示を開始し、前記コマンドにより特定される可変表示時間が経過したときに表示結果を導出表示し、
前記可変表示中における所定の受付期間であるときに前記選択指示検出手段からの検出信号を判定して前記演出の種類を選択するための遊技者からの選択指示を受付けることにより、当該選択指示が前記特定遊技状態へ移行するか否かの決定に関与しているような擬似選択遊技を行なうことができ、かつ、前記演出結果の表示に際しては前記受付期間中に受付けた選択指示に影響を受けることなく前記特定遊技状態決定手段の決定結果に従った演出結果を表示し、
前記受付期間中において前記選択指示を受付ける毎に、選択対象となる演出の種類を切り替え、
前記受付期間は、前記選択指示が受付けられた時期によって変動することのない一定期間に定められており、
前記選択指示に応じた演出は、該選択指示が受付けられた時期にかかわらず前記受付期間の経過後において実行され、
前記遊技演出実行手段は、前記複数種類の変動パターンのうち複数種類定められた特定変動パターンのいずれかが設定されたときに、前記擬似選択遊技を、該設定された特定変動パターンの種類に応じたタイミングで行なうことを特徴とする、遊技機。
【手続補正２】
【補正対象書類名】明細書
【補正対象項目名】０００６
【補正方法】変更
【補正の内容】
【０００６】
遊技状態を遊技者にとって有利となる特定遊技状態（大当り状態）に制御可能な遊技機（パチンコ遊技機１）であって、
前記特定遊技状態に制御するか否かを事前に決定する特定遊技状態決定手段（遊技制御用マイクロコンピュータ５３）と、
可変表示を行なって表示結果を導出表示する可変表示装置（可変表示装置８、特別図柄表示部９）と、
前記可変表示を開始してから表示結果を導出表示するまでの可変表示時間を、当該可変表示を開始するときに決定する可変表示時間決定手段（変動パターン設定処理（ＳＡ０４））と、
前記遊技状態を制御するとともに前記可変表示時間決定手段により決定された可変表示時間を特定するためのコマンドを出力する遊技制御手段（遊技制御用マイクロコンピュータ５３）と、
前記可変表示装置において前記可変表示を開始し、前記可変表示時間決定手段により決定された可変表示時間が経過したときに、前記特定遊技状態決定手段の決定結果に従った表示結果を導出表示するとともに（可変表示動作開始処理（ＳＥ０３）、図柄変動中処理（ＳＥ０４）、全図柄停止待ち処理（ＳＥ０５））、当該可変表示中において遊技に関する演出（たとえば、ピッチャーが「カーブ」を投げている映像）を行なった後前記特定遊技状態へ制御するか否かに係る演出結果（たとえば、ピッチャーが打者を「三振」にとった映像）を表示する遊技演出実行手段（表示制御用マイクロコンピュータ８００）を有し、前記コマンドに従って前記可変表示装置の表示制御を行なう可変表示制御手段（表示制御用マイクロコンピュータ８００）と、
遊技者からの選択指示（たとえば、「カーブ」を投げるか「直球」を投げるかの選択）を検出する選択指示検出手段（選択操作部６０、選択ボタン６１，６２、光センサ２０１，２０２，２０３、タッチパネル３０１）とを含み、
前記選択指示検出手段からの検出信号は、前記遊技制御手段を経由することなく前記可変表示制御手段に入力され（図３参照）、
前記遊技演出実行手段は、
前記コマンドに基づき複数種類の変動パターンのうちいずれかを設定し（図１８のＳＧ０２、ＳＧ０３）、
該設定された変動パターンにしたがって、前記可変表示装置において前記可変表示を開始し、前記コマンドにより特定される可変表示時間が経過したときに表示結果を導出表示し（図１９のＳＨ０１、ＳＨ０２、図２０のＳＩ０１、図２１のＳＪ０２など）、
前記可変表示中における所定の受付期間であるときに前記選択指示検出手段からの検出信号を判定して前記演出の種類を選択するための遊技者からの選択指示を受付けることにより、当該選択指示が前記特定遊技状態へ移行するか否かの決定に関与しているような擬似選択遊技（選択遊技）を行なうことができ（図２４のＳＬ０１〜ＳＬ１４等参照）、かつ、前記演出結果の表示に際しては前記受付期間中に受付けた選択指示に影響を受けることなく前記特定遊技状態決定手段の決定結果に従った演出結果を表示し（図２４のＳＬ１５参照）、
前記受付期間中において前記選択指示を受付ける毎に、選択対象となる演出の種類を切り替え、
前記受付期間は、前記選択指示が受付けられた時期によって変動することのない一定期間に定められており（エントリータイマＴ１、図２４のＳＬ０８でＮＯ）、
前記選択指示に応じた演出は、該選択指示が受付けられた時期にかかわらず前記受付期間の経過後において実行され（図２４のＳＬ０８でＹＥＳのときにＳＬ１４、ＳＬ１５実行）、
前記遊技演出実行手段は、前記複数種類の変動パターンのうち複数種類定められた特定変動パターンのいずれかが設定されたときに、前記擬似選択遊技を、該設定された特定変動パターンの種類に応じたタイミングで行なう。
【手続補正３】
【補正対象書類名】明細書
【補正対象項目名】０００８
【補正方法】変更
【補正の内容】
【０００８】
また、擬似選択遊技を行なうための遊技制御手段の制御負担を軽減することができる。また、選択指示検出手段からの検出信号が遊技制御手段を経由せずに可変表示制御手段に入力されるために、選択指示検出手段からの検出信号の入力経路が複雑にならないようにすることができるとともに不正防止にもなる。
また、複数種類の変動パターンで擬似選択遊技が実行可能となり、遊技者が選択する機会，介入の機会が増加する。さらに、変動パターンが多彩となり遊技者の楽しみが向上する。
【手続補正４】
【補正対象書類名】明細書
【補正対象項目名】０００９
【補正方法】削除
【補正の内容】
【手続補正５】
【補正対象書類名】明細書
【補正対象項目名】００１０
【補正方法】削除
【補正の内容】
【手続補正６】
【補正対象書類名】明細書
【補正対象項目名】００１１
【補正方法】削除
【補正の内容】
【手続補正７】
【補正対象書類名】明細書
【補正対象項目名】００１２
【補正方法】削除
【補正の内容】
【手続補正８】
【補正対象書類名】明細書
【補正対象項目名】００１３
【補正方法】削除
【補正の内容】
【手続補正９】
【補正対象書類名】明細書
【補正対象項目名】００１４
【補正方法】削除
【補正の内容】
【手続補正１０】
【補正対象書類名】明細書
【補正対象項目名】００１５
【補正方法】削除
【補正の内容】
【手続補正１１】
【補正対象書類名】明細書
【補正対象項目名】００１６
【補正方法】削除
【補正の内容】
【手続補正１２】
【補正対象書類名】明細書
【補正対象項目名】００１７
【補正方法】削除
【補正の内容】
【手続補正１３】
【補正対象書類名】明細書
【補正対象項目名】００１８
【補正方法】削除
【補正の内容】
【手続補正１４】
【補正対象書類名】明細書
【補正対象項目名】００１９
【補正方法】削除
【補正の内容】
【手続補正１５】
【補正対象書類名】明細書
【補正対象項目名】００２０
【補正方法】削除
【補正の内容】
【手続補正１６】
【補正対象書類名】明細書
【補正対象項目名】００２１
【補正方法】削除
【補正の内容】
【手続補正１７】
【補正対象書類名】明細書
【補正対象項目名】００２２
【補正方法】削除
【補正の内容】
【手続補正１８】
【補正対象書類名】明細書
【補正対象項目名】００２３
【補正方法】削除
【補正の内容】
【手続補正１９】
【補正対象書類名】明細書
【補正対象項目名】００２４
【補正方法】削除
【補正の内容】
【手続補正２０】
【補正対象書類名】明細書
【補正対象項目名】００２５
【補正方法】削除
【補正の内容】
【手続補正２１】
【補正対象書類名】明細書
【補正対象項目名】００２６
【補正方法】削除
【補正の内容】
【手続補正２２】
【補正対象書類名】明細書
【補正対象項目名】００２７
【補正方法】削除
【補正の内容】
【手続補正２３】
【補正対象書類名】明細書
【補正対象項目名】００２８
【補正方法】削除
【補正の内容】
【手続補正２４】
【補正対象書類名】明細書
【補正対象項目名】００２９
【補正方法】削除
【補正の内容】
【手続補正２５】
【補正対象書類名】明細書
【補正対象項目名】００３０
【補正方法】削除
【補正の内容】
【手続補正２６】
【補正対象書類名】明細書
【補正対象項目名】００３１
【補正方法】削除
【補正の内容】
【手続補正２７】
【補正対象書類名】明細書
【補正対象項目名】００３２
【補正方法】削除
【補正の内容】
【手続補正２８】
【補正対象書類名】明細書
【補正対象項目名】００３３
【補正方法】削除
【補正の内容】
【手続補正２９】
【補正対象書類名】明細書
【補正対象項目名】００３４
【補正方法】削除
【補正の内容】
【手続補正３０】
【補正対象書類名】明細書
【補正対象項目名】００３５
【補正方法】削除
【補正の内容】
【手続補正３１】
【補正対象書類名】明細書
【補正対象項目名】００３６
【補正方法】削除
【補正の内容】
【手続補正３２】
【補正対象書類名】明細書
【補正対象項目名】００３７
【補正方法】削除
【補正の内容】
【手続補正３３】
【補正対象書類名】明細書
【補正対象項目名】００３８
【補正方法】削除
【補正の内容】
【手続補正３４】
【補正対象書類名】明細書
【補正対象項目名】００３９
【補正方法】削除
【補正の内容】
【手続補正３５】
【補正対象書類名】明細書
【補正対象項目名】００４０
【補正方法】削除
【補正の内容】
【手続補正３６】
【補正対象書類名】明細書
【補正対象項目名】００４１
【補正方法】削除
【補正の内容】
【手続補正３７】
【補正対象書類名】明細書
【補正対象項目名】００４２
【補正方法】削除
【補正の内容】